(57)【特許請求の範囲】
【請求項１】
口部、肩部、胴部および底部が合成樹脂で一体に形成されてなり、密封された状態でボトル内圧を上昇させる内容物が充填されるボトルであって、
その外周面には、一方向に沿って延在する第１凹溝と前記一方向に交差する他方向に沿って延びる第２凹溝とがそれぞれ複数ずつ形成され、これらの第１凹溝および第２凹溝により当該ボトルの側面視で矩形状を呈する単位構成面部が複数区画され、
前記第１凹溝および第２凹溝は、前記肩部の外周面に形成され、
前記単位構成面部には、互いに対向する二対の角部のうち少なくとも一対の角部同士を結ぶ稜線部が形成されていることを特徴とするボトル。
【請求項２】
請求項１記載のボトルであって、
前記単位構成面部は、前記側面視でこのボトルの中心軸線方向に長い菱形状を呈していることを特徴とするボトル。
【請求項３】
請求項１または２に記載のボトルであって、
前記肩部の縦断面視形状はこのボトルの径方向の内方に向けて凹む凹曲面状となっていることを特徴とするボトル。
【発明の詳細な説明】
【技術分野】
【０００１】
本発明は、密封された状態でボトル内圧を上昇させる内容物が充填される合成樹脂製のボトルに関するものである。
【背景技術】
【０００２】
この種のボトルにおいては、近年では、需要者の購買意欲を喚起させたり、あるいは商品識別力を付与したりする等のために、装飾効果や視覚効果を高めることに対する要望がある。
この種のボトルとして、例えば下記特許文献１では、胴部の内面に風景や図柄等が印刷されたラベルを貼着するとともに、ラベルに印刷された風景や図柄等に適合した造形品が取り付けられた透明な板材を、胴部の内側において前記ラベルと対向する位置に配設した構成が提案されている。
【特許文献１】特開２０００−１２８１７５号公報
【発明の開示】
【発明が解決しようとする課題】
【０００３】
しかしながら、前記従来のボトルでは、このボトル自体とは別に前述の造形品や板材等の新たな部品が必要になり、しかもこれらを組み立てるのに時間がかかるため、装飾効果や視覚効果が高められる反面、製造コストの増大を抑えるのが困難であるという問題があった。
【０００４】
本発明は、このような事情を考慮してなされたもので、製造コストを増大させることなく、装飾効果や視覚効果を高めることができるボトルを提供することを目的とする。
【課題を解決するための手段】
【０００５】
上記課題を解決して、このような目的を達成するために、本発明のボトルは、口部、肩部、胴部および底部が合成樹脂で一体に形成されてなり、密封された状態でボトル内圧を上昇させる内容物が充填されるボトルであって、その外周面には、一方向に沿って延在する第１凹溝と前記一方向に交差する他方向に沿って延びる第２凹溝とがそれぞれ複数ずつ形成され、これらの第１凹溝および第２凹溝により当該ボトルの側面視で矩形状を呈する単位構成面部が複数区画され、前記第１凹溝および第２凹溝は、前記肩部の外周面に形成され、前記単位構成面部には、互いに対向する二対の角部のうち少なくとも一対の角部同士を結ぶ稜線部が形成されていることを特徴とする。
この発明によれば、ボトルの外周面に第１凹溝および第２凹溝が形成されてこれらの両凹溝により前記側面視で矩形状を呈する単位構成面部が複数区画されているので、このボトルの外周面において第１凹溝や第２凹溝が形成された領域に照らされた光を例えば屈折、干渉および反射等させることによって、このボトルに優れた光輝性を発揮させることが可能になり、装飾効果や視覚効果が高められたボトルが得られる。
また、このようにボトルに優れた光輝性を発揮させるために、ボトル自体とは別の新たな部材を用いなくても単に第１凹溝および第２凹溝をボトルの外周面に形成すればよいので、例えばブロー成形等の現行と同じ製法を適用することが可能になり、このボトルの製造コストが増大するのを防ぐことができる。
さらに、前記単位構成面部が第１凹溝および第２凹溝で区画されているので、ボトル内圧の上昇時に前記単位構成面部が前記径方向の外方に向けて膨出変形しようとしても、この変形に対して前記第１凹溝および第２凹溝をリブとして作用させることが可能になる。したがって、ボトル内圧の上昇によって単位構成面部が前述のように膨出変形するのを抑えることが可能になり、ボトル内圧の上昇時に前述の光輝性が低下するのを抑制することができる。
そして、第１凹溝および第２凹溝が肩部の外周面に形成されているので、ボトル内圧が変動したときに前記単位構成面部が前記径方向に変形するのを、胴部に形成した場合と比べて抑えることが可能になり、前述の光輝性がボトル内圧の変動によって低下するのを確実に抑制することができる。さらに、胴部に例えば模様や文字等が印刷されたシュリンクラベルを取り付けても、前述の光輝性を発揮させることが可能になり、このボトルの取り扱い性が低下するのを抑えることができる。
また、単位構成面部に、互いに対向する二対の角部のうち少なくとも一対の角部同士を結ぶ稜線部が形成されているので、前述の光輝性をより一層高めることができる。
【０００７】
また、前記単位構成面部は、前記側面視でこのボトルの中心軸線方向に長い菱形状を呈してもよい。
この場合、単位構成面部が、前記側面視でこのボトルの中心軸線方向に長い菱形状を呈しているので、ボトル内圧の変動に対する単位構成面部の前記径方向の変形抵抗を、当該単位構成面部において前記中心軸線方向の中央から前記中心軸線方向の外側に向かうに従い漸次大きくすることが可能になる。したがって、この単位構成面部がボトル内圧の変動によって前記径方向に変形するのを抑えることが可能になり、前述の光輝性がボトル内圧の変動によって低下するのを抑制することができる。
【０００９】
この構成において、前記肩部の縦断面視形状はこのボトルの径方向の内方に向けて凹む凹曲面状となってもよい。
この場合、肩部の縦断面視形状が前記径方向の内方に向けて凹む凹曲面状となっているので、ボトル内圧が上昇したときに、この肩部が前記径方向の外方に向けて膨出するのを抑制することが可能になり、前述の光輝性がボトル内圧の上昇によって低下するのをより一層確実に抑えることができる。
【発明の効果】
【００１０】
この発明に係るボトルによれば、製造コストを増大させることなく、装飾効果や視覚効果を高めることができる。
【発明を実施するための最良の形態】
【００１１】
以下、図面を参照し、この発明の実施の形態について説明する。本実施形態に係るボトル１０は、図１に示されるように、口部１１、肩部１２、胴部１３および底部１４を備え、これら１１、１２、１３、１４が、それぞれの中心軸線を共通軸上に位置させられた状態で、この共通軸方向の一方から他方に向けてこの順に連設された概略構成とされている。
【００１２】
なお、このボトル１０は、例えばブロー成形等によりポリエチレンテレフタレート等の合成樹脂で一体に形成されている。また、口部１１の外周面には雄ねじ部１１ａが形成されており、この雄ねじ部１１ａに図示されないキャップが着脱可能に螺着されるようになっている。さらに、このボトル１０は、透明若しくは半透明の合成樹脂で形成されている。また、このボトル１０は、密封された状態でボトル内圧を上昇させる内容物、例えば炭酸飲料等が充填されて用いられる。
【００１３】
ここで、本実施形態では、肩部１２、胴部１３および底部１４は、横断面形状が円形状となっており、前記共通軸はこの横断面がなす円形の中央部を通る直線となっている。以下、この共通軸を中心軸線Ｏといい、また、この中心軸線Ｏ方向において、口部１１側を上側といい、底部１４側を下側という。
さらに、図示の例では、口部１１、肩部１２、胴部１３および底部１４のうち、前記中心軸線Ｏ方向における大きさが最も大きいのが肩部１２となっている。また、肩部１２は、胴部１３側から上方に向かうに従い漸次縮径している。さらにまた、この肩部１２の縦断面視形状はこのボトル１０の径方向の内方に向けて凹む凹曲面状となっている。
【００１４】
そして、本実施形態では、肩部１２の外周面に、一方向に沿って延在する第１凹溝１７と前記一方向に交差する他方向に沿って延びる第２凹溝１８とがそれぞれ複数ずつ形成され、これらの両凹溝１７、１８により当該ボトル１０の側面視で矩形状を呈する単位構成面部１９が複数区画されている。
図示の例では、第１凹溝１７および第２凹溝１８はそれぞれ、肩部１２の外周面に沿った方向において、前記中心軸線Ｏ方向およびこのボトル１０の周方向の双方に対して傾斜する方向に沿って延在し、この延在する方向と直交する方向に間隔をあけて複数ずつ配置されて、肩部１２のほぼ全域に配置されている。
【００１５】
なお、第１凹溝１７および第２凹溝１８それぞれの深さは、互いに同等とされて例えば約０．７ｍｍとなっている。また、図示の例では、第１凹溝１７は、肩部１２の側面視で左斜め下方に凸の曲線をなして前述のように延在し、第２凹溝１８は、肩部１２の側面視で右斜め下方に凸の曲線をなして前述のように延在している。そして、これらの第１凹溝１７および第２凹溝１８がそれぞれ前記側面視で呈する曲率半径Ｒ１、Ｒ２は互いに同等とされるとともに肩部１２の前述した凹曲面状がなす曲率半径Ｒ３と同等になっている。
【００１６】
また、図示の例では、各単位構成面部１９は、前記側面視で前記中心軸線Ｏ方向に長い菱形状を呈している。なお、各単位構成面部１９が有する４つの角部１９ａ、１９ｂ、１９ｃ、１９ｄは、第１凹溝１７と第２凹溝１８との交差部分で画成されている。
さらに、前述の４つの角部１９ａ〜１９ｄのうち、角度の小さい２つの鋭角部１９ａ、１９ｂはそれぞれ、単位構成面部１９における前記中心軸線Ｏ方向の両端部を各別に構成し、角度の大きい２つの鈍角部１９ｃ、１９ｄはそれぞれ、単位構成面部１９における前記周方向の両端部を各別に構成している。
【００１７】
ここで、肩部１２に配置された複数の単位構成面部１９のうち、この肩部１２における前記中心軸線Ｏ方向の同一位置に、前記鈍角部１９ｃ、１９ｄを画成する第１凹溝１７と第２凹溝１８との交差部分を介して前記周方向の全周にわたって連設された複数の単位構成面部１９により面部列Ａ、Ｂ、Ｃが構成されている。
本実施形態では、肩部１２に３つの面部列Ａ、Ｂ、Ｃが配置されており、これらのうち上側に位置する上側面部列Ａおよび下側に位置する下側面部列Ｃがそれぞれ有する各単位構成面部１９は、前記周方向における位置が互いに合わされて配置されている。これにより、上側面部列Ａが有する単位構成面部１９における２つの鋭角部１９ａ、１９ｂのうち下側に位置する下側鋭角部１９ｂと、下側面部列Ｃが有する単位構成面部１９における２つの鋭角部１９ａ、１９ｂのうち上側に位置する上側鋭角部１９ａと、は前記中心軸線Ｏ方向で対向している。
【００１８】
また、中側に位置する中側面部列Ｂが有する各単位構成面部１９の配置位置は、上側面部列Ａおよび下側面部列Ｃがそれぞれ有する各単位構成面部１９の前記周方向における配置位置に対して前記周方向にずらされている。これにより、中側面部列Ｂが有する単位構成面部１９における２つの鋭角部１９ａ、１９ｂはそれぞれ、上側面部列Ａおよび下側面部列Ｃそれぞれにおいて前記周方向で隣り合う単位構成面部１９同士の間に位置している。なお、中側面部列Ｂが有する単位構成面部１９における２つの鋭角部１９ａ、１９ｂのうち、上側に位置する上側鋭角部１９ａは、上側面部列Ａが有する単位構成面部１９における２つの鈍角部１９ｃ、１９ｄよりも下方かつ下側鋭角部１９ｂよりも上方に位置している。また、中側面部列Ｂが有する単位構成面部１９における２つの鋭角部１９ａ、１９ｂのうち、下側に位置する下側鋭角部１９ｂは、下側面部列Ｃが有する単位構成面部１９における２つの鈍角部１９ｃ、１９ｄよりも上方かつ上側鋭角部１９ａよりも下方に位置している。
【００１９】
以上より、肩部１２に形成された複数の面部列Ａ〜Ｃのうち、前記中心軸線Ｏ方向で隣り合う面部列がそれぞれ有する各単位構成面部１９は、前記周方向における位置が互いに異ならされて配置され、肩部１２に網目模様が施された構成となっている。
なお、両凹溝１７、１８の各上端は互いに交差して連通し、各下端は互いに前記周方向に離れて独立している。また、両凹溝１７、１８の各下端部は、その下端に向かうに従い漸次前記径方向の内方に向けた凹み量が浅くなっている。
【００２０】
さらに、本実施形態では、単位構成面部１９に、互いに対向する二対の角部１９ａ、１９ｂおよび１９ｃ、１９ｄを各別に結ぶ２つの稜線部２０が形成されている。これにより、各単位構成面部１９は、これらの稜線２０が交差する中央１９ｆが最も前記径方向の外方に位置し、かつ前記両凹溝１７、１８に連なる外縁１９ｅが最も前記径方向の内方に位置するように４の傾斜面１９ｇに区画されている。
なお、単位構成面部１９において前記外縁１９ｅから前記径方向の外方に向けた前記中央１９ｆの突出量（例えば約０．８ｍｍ）は、第１凹溝１７および第２凹溝１８の、前記外縁１９ｅから前記径方向の内方に向けた各凹み量、つまり深さ以上となっている。
【００２１】
また、本実施形態では、胴部１３から肩部１２にわたった部分の外周面は、図示されないシュリンクラベルで覆われている。このシュリンクラベルにおいて胴部１３に位置する部分に、例えば模様や文字等が印刷され、肩部１２に位置する部分は透明若しくは半透明の無地となっている。
【００２２】
以上説明したように本実施形態に係るボトル１０によれば、肩部１２の外周面に第１凹溝１７および第２凹溝１８が形成されてこれらの両凹溝１７、１８により前記側面視で矩形状を呈する単位構成面部１９が複数区画されているので、肩部１２の外周面に照らされた光を例えば屈折、干渉および反射等させることによって、このボトル１０に優れた光輝性を発揮させることが可能になり、装飾効果や視覚効果が高められたボトル１０が得られる。
【００２３】
また、このようにボトル１０に優れた光輝性を発揮させるために、ボトル自体とは別の新たな部材を用いなくても単に第１凹溝１７および第２凹溝１８を肩部１２の外周面に形成すればよいので、例えばブロー成形等の現行と同じ製法を適用することが可能になり、このボトル１０の製造コストが増大するのを防ぐことができる。
さらに、単位構成面部１９が第１凹溝１７および第２凹溝１８で区画されているので、ボトル内圧の上昇時に単位構成面部１９が前記径方向の外方に向けて膨出変形しようとしても、この変形に対して第１凹溝１７および第２凹溝１８をリブとして作用させることが可能になる。したがって、ボトル内圧の上昇によって単位構成面部１９が前述のように膨出変形するのを抑えることが可能になり、ボトル内圧の上昇時に前述の光輝性が低下するのを抑制することができる。
さらにまた、本実施形態では、単位構成面部１９に稜線部２０が形成されているので、前述の光輝性をより一層高めることができる。
【００２４】
また、本実施形態では、単位構成面部１９が、前記側面視で中心軸線Ｏ方向に長い菱形状を呈しているので、ボトル内圧の変動に対する単位構成面部１９の前記径方向の変形抵抗を、当該単位構成面部１９において前記中心軸線Ｏ方向の中央から前記中心軸線Ｏ方向の外側に向かうに従い漸次大きくすることが可能になる。したがって、この単位構成面部１９がボトル内圧の変動によって前記径方向に変形するのを抑えることが可能になり、前述の光輝性がボトル内圧の変動によって低下するのを抑制することができる。
【００２５】
さらに、本実施形態では、第１凹溝１７および第２凹溝１８が肩部１２の外周面に形成されているので、ボトル内圧が変動したときに単位構成面部１９が前記径方向に変形するのを、胴部１３に形成した場合と比べて抑えることが可能になり、前述の光輝性がボトル内圧の変動によって低下するのを確実に抑制することができる。さらにまた、胴部１３に例えば模様や文字等が印刷されたシュリンクラベルを取り付けても、前述の光輝性を発揮させることが可能になり、このボトル１０の取り扱い性が低下するのを抑えることができる。
【００２６】
また、本実施形態では、肩部１２の縦断面視形状が前記径方向の内方に向けて凹む凹曲面状となっているので、ボトル内圧が上昇したときに、この肩部１２が前記径方向の外方に向けて膨出するのを抑制することが可能になり、前述の光輝性がボトル内圧の上昇によって低下するのをより一層確実に抑えることができる。
【００２７】
なお、本発明の技術的範囲は前記実施の形態に限定されるものではなく、本発明の趣旨を逸脱しない範囲において種々の変更を加えることが可能である。
例えば、前記実施形態では、第１凹溝１７および第２凹溝１８として、前記中心軸線Ｏ方向および前記周方向の双方に対して傾斜する方向に沿って延在した構成を示したが、これに代えて両凹溝１７、１８のうちの一方を、前記中心軸線Ｏ方向に沿って延在させ、他方を前記周方向に延在させて、ボトル１０の外周面に格子模様を施すようにしてもよい。
また、第１凹溝１７および第２凹溝１８を胴部１３に形成してもよい。
【００２８】
さらに、前記実施形態では、口部１１、肩部１２、胴部１３および底部１４のうち、前記中心軸線Ｏ方向における大きさが最も大きいのを肩部１２としたが、これに代えて例えば胴部１３としてもよい。
また、前記実施形態では、肩部１２の縦断面視形状をこのボトル１０の径方向の内方に向けて凹む凹曲面状としたが、これに代えて凸曲面状に形成してもよいし、あるいは傾斜平面状に形成してもよい。
【００２９】
さらに、前記実施形態では、胴部１３から肩部１２にわたった部分の外周面をシュリンクラベルで覆ったが、このラベルを有しない構成においても適用可能である。また、シュリンクラベルで肩部１２は覆わずに、胴部１３のみを覆うようにしてもよい。
また、前記実施形態では、単位構成面部１９に、互いに対向する二対の角部１９ａ、１９ｂおよび１９ｃ、１９ｄを各別に結ぶ２つの稜線部２０を形成したが、二対の角部１９ａ、１９ｂおよび１９ｃ、１９ｄのうちいずれか一対の角部同士を結ぶ１つの稜線部２０を形成してもよいし、この稜線部２０を形成しなくてもよい。後者の場合において、単位構成面部１９は、その外縁１９ｅから中央に向かうに従い前記径方向の外方に向けて突出する凸曲面状に形成してもよい。
【産業上の利用可能性】
【００３０】
製造コストを増大させることなく、装飾効果や視覚効果を高めることができる。
【図面の簡単な説明】
【００３１】
【図１】本発明に係る一実施形態として示したボトルの側面図である。
【図２】図１に示すボトルの一部拡大図である。
【符号の説明】
【００３２】
１０  ボトル
１１  口部
１２  肩部
１３  胴部
１４  底部
１７  第１凹溝
１８  第２凹溝
１９  単位構成面部
１９ａ、１９ｂ  鋭角部（角部）
１９ｃ、１９ｄ  鈍角部（角部）
２０  稜線部
Ｏ  中心軸線
【図１】
0005111968.tif 000002
【図２】
0005111968.tif 000003